(57)【要約】【課題】ＩＰネットワーク上に障害が発生する、もしくは停電などにより電源供給が絶たれた場合においても、装置の規模を大きくすることなく一般公衆網への接続切替による外線通話が可能とするＩＰ電話機の非常時接続システムを提供する。【解決手段】ＩＰ電話機４は電源情報とＩＰネットワーク情報を監視しており、通常時はＩＰネットワーク２と接続されてＩＰ−ＰＢＸ１配下の内線ＩＰ電話機として通話を行う。障害が発生して電源情報かＩＰネットワーク情報の何れか、もしくは両方が異常になればゲートウェイ５を介して一般公衆網３と接続されて外線電話機として通話を行う。【選択図】  図１
2005026898.tif 000002
【特許請求の範囲】
【請求項１】
ＩＰネットワークと一般公衆網がゲートウェイによって接続され、前記ＩＰネットワーク上のＩＰ電話機が前記ゲートウェイに接続されているＩＰ電話機の非常時接続システムにおいて、前記ＩＰ電話機は、該ＩＰ電話機の電源情報を監視する電源監視部と、前記ＩＰネットワークの情報を監視するＩＰネットワーク監視部と、前記電源情報と前記ＩＰネットワーク情報の両方が正常であれば前記ＩＰネットワークに接続を行い、前記電源情報と前記ＩＰネットワーク情報のどちらか一方もしくは両方が異常であれば障害状態と判断して前記ゲートウェイを通じて前記一般公衆網に接続を行う通話切り替え部とを有することを特徴とするＩＰ電話機の非常時接続システム。
【請求項２】
前記ＩＰ電話機は、前記一般公衆網に接続して行っている際の通話を監視し、前記障害状態が解除されても該通話が終了するまでは前記ＩＰネットワークへの切り替えを抑制する通話監視部を有することを特徴とする請求項１記載のＩＰ電話機の非常時接続システム。
【発明の詳細な説明】
【０００１】
【発明の属する技術分野】
本発明は、ＩＰネットワーク上に接続することが出来るＩＰ電話機の非常時接続システムに関する。
【０００２】
【従来の技術】
従来、ＩＰネットワークを使用してＩＰ電話機を構内内線電話として用いると共に、一般公衆網を外線として接続することが出来るＩＰ−ＰＢＸによる構内ネットワークが確立されている。ＩＰネットワーク内に設けられたＰＢＸにおいては音声信号がパケット化されて伝送されるが、ＩＰネットワーク内に障害あるいは輻輳が発生した場合、リアルタイムでパケット化された信号が再生されず、これによりサービス性が低下してしまうという問題点があった。また音声信号をＩＰネットワークを経由する信号路からＴＤＭ専用線や公衆網に迂回させることが出来なかった為にサービス性低下が生じるという問題があった。
【０００３】
そこで特許文献１において開示されているインターネットプロトコルネットワーク迂回システムによれば、内線電話機から伝送される音声信号がインターネットプロトコルネットワーク（以下、ＩＰＮＷ）上に伝送される場合に、ＩＰＮＷ上から伝送される送信者用パケットに基づいて、呼制御部にてＩＰＮＷの輻輳状態が判別され、輻輳状態にあることを判別するとスイッチ制御部にて音声信号が切り替わり、音声信号がＩＰＮＷからそれ以外に迂回する構成としている。
【０００４】
また特許文献２において開示されている通話装置アダプタは、通話装置からの信号線を接続したままで必要に応じてディジタル通信回線であるＩＰＮＷ側とアナログ通信回線である公衆回線のどちらでも接続できることを目的としている。
そして、ＩＰＮＷ経由での通信が可能であるときにＩＰＮＷ経由で電話をかけることができ、ＩＰＮＷが不通である場合に公衆回線経由で電話をかけることを可能にしている。
【０００５】
【特許文献１】
特開２０００−３４９９０１号公報
【特許文献２】
特開２００１−２５７７９７号公報
【０００６】
【発明が解決しようとする課題】
しかしながら特許文献１においては、複数の内線電話機を収容する構成となっている為、スイッチ制御部やアナウンスメントトランクなど従来のＰＢＸ構成を有することとなり規模が大きくなってしまうという問題点がある。また電話機とアダプタが分離されている為、アダプタに給電するローカル電源が断たれた場合に通話出来ないという問題点がある。更に、近年のＩＰＮＷ障害はＬＡＮＳＷ上での回線ポート単位やＳＷ本体の障害が発生する為、ＩＰＮＷ障害が発生した場合全ての端末の切替を行う必要があり、サービス性が劣るという問題点もあった。
【０００７】
特許文献２においては、電話機とアダプタが分離されている為にアダプタに給電するローカル電源が断たれた場合通話できるかどうか明確ではないという問題点がある。また、従来電話機内にある機能の一部がアダプタ内にもある構成となっている為、機能的に冗長であるという問題点がある。
【０００８】
【課題を解決するための手段】
本発明は、ＩＰネットワークと一般公衆網がゲートウェイによって接続され、前記ＩＰネットワーク上のＩＰ電話機が前記ゲートウェイに接続されているＩＰ電話機の非常時接続システムにおいて、前記ＩＰ電話機は、該ＩＰ電話機の電源情報を監視する電源監視部と、前記ＩＰネットワークの情報を監視するＩＰネットワーク監視部と、前記電源情報と前記ＩＰネットワーク情報の両方が正常であれば前記ＩＰネットワークに接続を行い、前記電源情報と前記ＩＰネットワーク情報のどちらか一方もしくは両方が異常であれば障害状態と判断して前記ゲートウェイを通じて前記一般公衆網に接続を行う通話切り替え部とを有することを特徴とする。
【０００９】
また前記ＩＰ電話機は、前記一般公衆網に接続して行っている際の通話を監視し、前記障害状態が解除されても該通話が終了するまでは前記ＩＰネットワークへの切り替えを抑制する通話監視部を有することを特徴とする。
【００１０】
【発明の実施の形態】
次に、本発明の実施形態について図面を参照して詳細に説明する。図１は本発明のＩＰ電話機の非常時接続システムの実施形態であるＩＰ−ＰＢＸ１によるＩＰネットワーク構成を示すブロック図である。ＩＰネットワーク２上にはＩＰ電話機４と、一般公衆網３と接続する為のゲートウェイ５がそれぞれ接続されている。またＩＰ電話機４とゲートウェイ５とはＲＪ１１コネクタによる通話線６で接続されている。これによりＩＰ電話機４はＩＰネットワーク２とのインタフェースによる接続と、一般公衆網３とのインタフェースによる接続が実現できる。
【００１１】
図２は、ＩＰ電話機４内の内部構成を示したブロック図である。ＩＰ電話機４は電源監視部４２による電源監視情報４ａと、ＩＰネットワークインタフェース制御部４３によるネットワーク監視情報４ｂとを通話切り替え制御部４４に通知する。これにより、通常時においてはＲＪ４５コネクタ及びＩＰネットワークインタフェース制御部４３を介してのＩＰ電話機としての機能を、また非常時においてはＲＪ１１コネクタと一般公衆インタフェース部４６を介しての外線接続用電話としての機能を有する。
【００１２】
次に図を用いて本実施形態の動作説明を行う。図２を参照すると、ＩＰ電話機４はＩＰネットワークとのインタフェースを実現するＩＰネットワークインタフェース制御部４３を有している。ＩＰネットワークインタフェース制御部４３は、ＩＰネットワークと接続されるＲＪ４５コネクタを介して呼制御パケットと音声パケットの入出力により各処理を行っている。また、接続しているＩＰネットワーク上の障害監視を常に行い、ネットワーク監視情報４ｂを通話切り替え制御部４４に送信している。
【００１３】
一般公衆網インタフェース部４６はＲＪ１１コネクタとゲートウェイ５とを介して一般公衆網３と接続され、非常時にはＩＰ電話機４が一般公衆網３と直接接続することが可能となっている。非常時においてＩＰ電話機４が一般公衆網３を通じて通話を行っていた場合、ＩＰネットワークの復旧、電源供給の復旧が発生したとしても、通話監視部４７により通話状態を管理していることにより、通話切り替え制御部４４に対して通話監視情報４ｃを通じて通常状態への切り替え制御を抑制することが出来る。この切り替え制御抑制は通話が終了するとともに解除され、通話切り替え制御部４４は非常状態の接続から通常状態の接続へと切り替わる。
【００１４】
電源部４１は、ＩＰネットワークインタフェース制御部４３へ電源供給を行う。電源監視部４２は電源部４１の電源供給状態の監視を常に行っており、電源監視情報４ａを通話切り替え制御部４４に対して送信している。
【００１５】
通話切り替え制御部４４はＩＰネットワークインタフェース制御部４３からのネットワーク監視情報４ｂ及び電源監視部４２からの電源監視情報４ａを基に通話路の切替を制御している。前記２つの状態情報共に通常状態であれば、通話切り替え制御部４４はＩＰネットワークインタフェース制御部４３からの通話信号をハンドセットインタフェース部４５へ出力し、ＩＰ電話機４はＩＰ−ＰＢＸ１配下の内線ＩＰ電話機として位置づけられる。
【００１６】
障害が発生し、電源監視情報４ａとネットワーク監視情報４ｂのどちらか一方、もしくは両方が異常状態になった場合、通話切り替え制御部４４は通話路を切り替え、通話信号を一般公衆網インタフェース部４６へ出力する。この場合ＩＰ電話機４はＩＰ−ＰＢＸ１のネットワーク構成から外れ、一般公衆網３のゲートウェイ配下の外線電話機として直接一般公衆網３へ接続される。
【００１７】
【発明の効果】
以上説明したように本発明のＩＰ電話機の非常時接続システムによれば、ＩＰネットワーク上に障害が発生する、もしくは停電などにより電源供給が絶たれた場合においても、装置の規模を大きくすることなく一般公衆網への接続切替による外線通話が可能となる。
【図面の簡単な説明】
【図１】本発明の実施形態を示す構成図である。
【図２】ＩＰ電話機４の内部構成図である。
【符号の説明】
１  ＩＰ−ＰＢＸ
２  ＩＰネットワーク
３  一般公衆網
４  ＩＰ電話機
５  ゲートウェイ
６  通話路
４１  電源部
４２  電源監視部
４３  ＩＰネットワークインタフェース制御部
４４  通話切り替え制御部
４５  ハンドセットインタフェース部
４６  一般公衆網インタフェース部
４７  通話監視部
【図１】
2005026898.tif 000003
【図２】
2005026898.tif 000004